(57)【要約】【課題】インストルメントパネルを車両上下方向において薄型化しても前席乗員の足元の体感温度を容易に調節することができる車両用空調装置を得る。【解決手段】車室前部１２Ｆに設けられたインパネ１４が車両後方側から見て車室側に突出した面がＴ字状に形成されている。このインパネ１４における内側に車両用空調装置４０の空調ユニット４２が設けられている。車両用空調装置４０においては、インパネ１４に設けられたフット吹出口４６、４８が空調風を前席乗員Ｐの足元側に向けて吹き出し、インパネ１４に設けられた内気吸入口４４が空調風の生成用として車室１２内の空気を取り込む。ここで、フット吹出口４６、４８はインパネ１４の車両幅方向中央部側の側壁部３２の下部に形成される。【選択図】図１
2019089444.tif 000002
【特許請求の範囲】
【請求項１】
車室前部に設けられて車両後方側から見て車両幅方向に延在する第一部位と前記第一部位の車両幅方向中央部から垂下された第二部位とで車室側に突出した面がＴ字状に形成されたインストルメントパネルにおける内側に本体部が設けられた車両用空調装置において、
前記インストルメントパネルに設けられて空調風を前席乗員の足元側に向けて吹き出すフット吹出口と、
前記インストルメントパネルに設けられて前記空調風の生成用として車室内の空気を取り込む内気吸入口と、
を有し、
前記フット吹出口が前記第二部位における側壁部の下部に形成されている、車両用空調装置。
【請求項２】
前記内気吸入口は、前記インストルメントパネルの下端部に設けられている、請求項１に記載の車両用空調装置。
【請求項３】
前記フット吹出口として、
前席乗員の左右の足のうちより車両幅方向内側に位置する足の足元側に向けて空調風を吹き出す第一フット吹出口と、
前席乗員の左右の足のうちより車両幅方向外側に位置する足の足元側に向けて空調風を吹き出す第二フット吹出口と、
を備える、請求項１又は請求項２に記載の車両用空調装置。
【請求項４】
前記第二フット吹出口が前記第一フット吹出口よりも大きく設定されている、請求項３に記載の車両用空調装置。
【請求項５】
前記第二フット吹出口から吹き出す空調風の風量が前記第一フット吹出口から吹き出す空調風の風量よりも多くなるように設定されている、請求項３又は請求項４に記載の車両用空調装置。
【請求項６】
前記車室前部に配置されて前席乗員の下肢の位置を検出する下肢検出部と、
前記フット吹出口から吹き出す空調風の風向を調整する風向調整部と、
前記下肢検出部の検出結果に基づいて前記フット吹出口から吹き出す空調風の風向が前席乗員の下肢側に向けられるように前記風向調整部を制御する調整制御部と、
を有する請求項１〜請求項５のいずれか１項に記載の車両用空調装置。
【請求項７】
前席のシートクッションの下端部とフロアパネルとの間に設けられて前記シートクッションの下方側及びその前後を含む下側空間を車両前後方向に仕切るように配置された仕切り部材を有する請求項１〜請求項６のいずれか１項に記載の車両用空調装置。
【請求項８】
前記仕切り部材が前記前席のシートクッションの下端部と前記フロアパネルとの間に開閉可能に設けられ、
前記仕切り部材を開閉させる可動機構を有する、請求項７に記載の車両用空調装置。
【請求項９】
前記車室前部に配置されて前席乗員の足元付近の温度を検出する温度検出部と、
前席よりも車両後方側に配置されて後席乗員を検出する後席乗員検出部と、
前記温度検出部によって測定された温度が予め設定した基準温度に達したものと判定した場合でかつ前記後席乗員検出部が後席乗員を検出した場合に前記仕切り部材が開いた状態になるように前記可動機構を制御すると共にそれ以外の場合に前記仕切り部材が閉じた状態になるように前記可動機構を制御する開閉制御部と、
を有する請求項８に記載の車両用空調装置。
【発明の詳細な説明】
【技術分野】
【０００１】
本発明は、車両用空調装置に関する。
【背景技術】
【０００２】
車両用空調装置が知られている（特許文献１、２参照）。例えば、下記特許文献１には、インストルメントパネルの内側に空調ユニットが配置された車両用空調装置が開示されている。簡単に説明すると、この装置では、フット吹出口が前席乗員の前方側に設けられており、そのフット吹出口から前席乗員の足元側に向けて送風されるようになっている。
【先行技術文献】
【特許文献】
【０００３】
【特許文献１】特開２０１０−１４３３７４号公報
【特許文献２】特開２００８−２９６６８５号公報
【発明の概要】
【発明が解決しようとする課題】
【０００４】
ところで、近年、前席乗員の足元スペースを確保する観点等から、インストルメントパネルを車両上下方向において薄型化することが検討されている。
【０００５】
しかしながら、インストルメントパネルを車両上下方向において薄型化した場合、上記先行技術と同様の構成を採ると、フット吹出口から前席乗員の足元までの距離が長くなってしまう。したがって、前席乗員の足元の体感温度を容易に調節する点において改善の余地がある。
【０００６】
本発明は、上記事実を考慮して、インストルメントパネルを車両上下方向において薄型化しても前席乗員の足元の体感温度を容易に調節することができる車両用空調装置を得ることが目的である。
【課題を解決するための手段】
【０００７】
請求項１に記載する本発明の車両用空調装置は、車室前部に設けられて車両後方側から見て車両幅方向に延在する第一部位と前記第一部位の車両幅方向中央部から垂下された第二部位とで車室側に突出した面がＴ字状に形成されたインストルメントパネルにおける内側に本体部が設けられた車両用空調装置において、前記インストルメントパネルに設けられて空調風を前席乗員の足元側に向けて吹き出すフット吹出口と、前記インストルメントパネルに設けられて前記空調風の生成用として車室内の空気を取り込む内気吸入口と、を有し、前記フット吹出口が前記第二部位における側壁部の下部に形成されている。
【０００８】
上記構成によれば、車室前部に設けられたインストルメントパネルが車両後方側から見て車両幅方向に延在する第一部位とその第一部位の車両幅方向中央部から垂下された第二部位とで車室側に突出した面がＴ字状に形成され、前席乗員の足元スペースが確保されている。このインストルメントパネルにおける内側に車両用空調装置の本体部が設けられている。車両用空調装置においては、インストルメントパネルに設けられたフット吹出口が空調風を前席乗員の足元側に向けて吹き出し、インストルメントパネルに設けられた内気吸入口が空調風の生成用として車室内の空気を取り込む。
【０００９】
ここで、フット吹出口がインストルメントパネルの第二部位における側壁部の下部に形成されている。このため、前席乗員の足元スペースが確保されつつ、フット吹出口から前席乗員の足元までの距離を短くすることができるので、前席乗員の足元の体感温度を容易に調節することができる。
【００１０】
請求項２に記載する本発明の車両用空調装置は、請求項１に記載の構成において、前記内気吸入口は、前記インストルメントパネルの下端部に設けられている。
【００１１】
上記構成によれば、前席乗員の足元付近の空気、つまり空調風により温度が目標温度に近づいている空気を内気吸入口から取り込んで空調風に利用することができるので、冷暖房効率が向上する。
【００１２】
請求項３に記載する本発明の車両用空調装置は、請求項１又は請求項２に記載の構成において、前記フット吹出口として、前席乗員の左右の足のうちより車両幅方向内側に位置する足の足元側に向けて空調風を吹き出す第一フット吹出口と、前席乗員の左右の足のうちより車両幅方向外側に位置する足の足元側に向けて空調風を吹き出す第二フット吹出口と、を備える。
【００１３】
上記構成によれば、第一フット吹出口は、前席乗員の左右の足のうちより車両幅方向内側に位置する足の足元側に向けて空調風を吹き出す。また、第二フット吹出口は、前席乗員の左右の足のうちより車両幅方向外側に位置する足の足元側に向けて空調風を吹き出す。このため、前席乗員の左右の足のそれぞれに良好に空調風を送ることができる。
【００１４】
請求項４に記載する本発明の車両用空調装置は、請求項３に記載の構成において、前記第二フット吹出口が前記第一フット吹出口よりも大きく設定されている。
【００１５】
上記構成によれば、より遠い方の足の足元側に向けて空調風を吹き出す第二フット吹出口が、より近い方の足の足元側に向けて空調風を吹き出す第一フット吹出口よりも大きく設定されている。したがって、より遠い方の足の足元側に送る空調風の風量を容易に多くすることができる。
【００１６】
請求項５に記載する本発明の車両用空調装置は、請求項３又は請求項４に記載の構成において、前記第二フット吹出口から吹き出す空調風の風量が前記第一フット吹出口から吹き出す空調風の風量よりも多くなるように設定されている。
【００１７】
上記構成によれば、より遠い方の足の足元側に向けて第二フット吹出口から吹き出す空調風の風量が、より近い方の足の足元側に向けて第一フット吹出口から吹き出す空調風の風量よりも多くなる。したがって、左右の足の足元の各体感温度を近付けることができる。
【００１８】
請求項６に記載する本発明の車両用空調装置は、請求項１〜請求項５のいずれか１項に記載の構成において、前記車室前部に配置されて前席乗員の下肢の位置を検出する下肢検出部と、前記フット吹出口から吹き出す空調風の風向を調整する風向調整部と、前記下肢検出部の検出結果に基づいて前記フット吹出口から吹き出す空調風の風向が前席乗員の下肢側に向けられるように前記風向調整部を制御する調整制御部と、を有する。
【００１９】
上記構成によれば、車室前部に配置された下肢検出部が前席乗員の下肢の位置を検出する。また、風向調整部がフット吹出口から吹き出す空調風の風向を調整する。そして、下肢検出部の検出結果に基づいてフット吹出口から吹き出す空調風の風向が前席乗員の下肢側に向けられるように調整制御部が風向調整部を制御する。したがって、前席乗員の下肢の位置に応じて空調風の風向を変えることができるので、前席乗員の足元の体感温度を容易に調節することができる。
【００２０】
請求項７に記載する本発明の車両用空調装置は、請求項１〜請求項６のいずれか１項に記載の構成において、前席のシートクッションの下端部とフロアパネルとの間に設けられて前記シートクッションの下方側及びその前後を含む下側空間を車両前後方向に仕切るように配置された仕切り部材を有する。
【００２１】
上記構成によれば、フット吹出口から吹き出された空調風が、仕切り部材によって後席側に流れなくなる（又は殆ど流れなくなる）ので、前席乗員の足元の温度を容易に目標温度に近付けることができる。
【００２２】
請求項８に記載する本発明の車両用空調装置は、請求項７に記載の構成において、前記仕切り部材が前記前席のシートクッションの下端部と前記フロアパネルとの間に開閉可能に設けられ、前記仕切り部材を開閉させる可動機構を有する。
【００２３】
上記構成によれば、仕切り部材は、前席のシートクッションの下端部とフロアパネルとの間に開閉可能に設けられており、可動機構によって開閉させられる。したがって、仕切り部材が開かれることで、フット吹出口から吹き出された空調風を後席側に送ることができる。
【００２４】
請求項９に記載する本発明の車両用空調装置は、請求項８に記載の構成において、前記車室前部に配置されて前席乗員の足元付近の温度を検出する温度検出部と、前席よりも車両後方側に配置されて後席乗員を検出する後席乗員検出部と、前記温度検出部によって測定された温度が予め設定した基準温度に達したものと判定した場合でかつ前記後席乗員検出部が後席乗員を検出した場合に前記仕切り部材が開いた状態になるように前記可動機構を制御すると共にそれ以外の場合に前記仕切り部材が閉じた状態になるように前記可動機構を制御する開閉制御部と、を有する。
【００２５】
上記構成によれば、車室前部に配置された温度検出部が前席乗員の足元付近の温度を検出し、前席よりも車両後方側に配置された後席乗員検出部が後席乗員を検出する。開閉制御部は、温度検出部によって測定された温度が予め設定した基準温度に達したものと判定した場合でかつ後席乗員検出部が後席乗員を検出した場合に仕切り部材が開いた状態になるように可動機構を制御すると共にそれ以外の場合に仕切り部材が閉じた状態になるように可動機構を制御する。したがって、前席乗員の足元付近を効率的に温度調節した後には、後席側に空調風を送ることができる。
【発明の効果】
【００２６】
以上説明したように、本発明の車両用空調装置によれば、インストルメントパネルを車両上下方向において薄型化しても前席乗員の足元の体感温度を容易に調節することができるという優れた効果を有する。
【図面の簡単な説明】
【００２７】
【図１】本発明の一実施形態に係る車両用空調装置が搭載された車両の一部を示す側断面である。図２（Ｂ）の１−１線に沿って切断した拡大断面図に相当する図である。
【図２】図２（Ａ）は、図１に示される車室前部を縮小して示す模式的な平面図である。図２（Ｂ）は、図１に示される車室前部を車室内側から見た状態で縮小して示す模式的な背面図である。
【発明を実施するための形態】
【００２８】
本発明の一実施形態に係る車両用空調装置について図１及び図２を用いて説明する。なお、これらの図において適宜示される矢印ＦＲは車両前方側を示しており、矢印ＵＰは車両上方側を示しており、矢印Ｗは車両幅方向を示している。
【００２９】
（実施形態の構成）
図１には、本実施形態に係る車両用空調装置４０が搭載された車両１０の一部が側断面図（図２（Ｂ）の１−１線に沿って切断した拡大断面図に相当する図）で示されている。なお、車両用空調装置４０は、暖房及び冷房を行うことが可能とされる。図２（Ａ）には、図１に示される車室前部１２Ｆが縮小された状態の模式的な平面図で示され、図２（Ｂ）には、図１に示される車室前部１２Ｆが車室内側から見た状態で縮小された状態の模式的な背面図で示されている。
【００３０】
これらの図に示されるように、車室前部１２Ｆにはインストルメントパネル１４（以下、「インパネ１４」と称する）が設けられている。図１に示されるように、インパネ１４は、車室１２と車両前部１６とを隔成するダッシュパネル１８の車両後方側の上部側に配置されている。ダッシュパネル１８の下端部は、フロアパネル２０の前端部に接合されている。フロアパネル２０は、車室１２の下面を構成している。また、ダッシュパネル１８の上端部には、図示しないカウルが接合されており、このカウルは、図示しないフロントガラスの下端部を支持している。前記フロントガラスは、車室１２の上部側の前面を構成してその下端部側がインパネ１４の上端部側に配置されている。
【００３１】
インパネ１４の車両後方側には、車両用の前席としてのフロントシート２２が設けられている。フロントシート２２は、本実施形態では車室１２の前部左側が助手席とされ、車室１２の前部右側が運転席とされている。なお、車室１２の前部側において車両幅方向中央部には、センタコンソール２８が配置されている。フロントシート２２は、シート前後方向が車両前後方向に一致され、シート幅方向が車両幅方向に一致されている。フロントシート２２は、シートクッション２４と、シートクッション２４の後端に下端が連結されたシートバック２６と、シートバック２６の上端に設けられた図示しないヘッドレストと、を含んで構成されている。なお、シートクッション２４をフロアパネル２０に支持させる構造部分は図示を省略する。シートクッション２４は、その上面部が乗員着座用の着座部２４Ａとされると共に、図示しないスライド機構によって車両前後方向にスライド移動可能とされている。また、図中では前席乗員を符号Ｐ、前席乗員の下肢を符号Ｌｏ、前席乗員の足首から下の部分を符号Ｆでそれぞれ示している。
【００３２】
図２に示されるように、インパネ１４は、車両幅方向に沿って延在される内装パネル材として構成されている。インパネ１４の内側（車両前方側）上部には、車両幅方向に沿って長尺状とされたインパネリインフォースメント（図示省略）が配設されており、インパネ１４は、このインパネリインフォースメントに複数箇所で取り付けられている。なお、前記インパネリインフォースメントは、金属製のパイプ材であり、その長手方向の両端部は、左右の車体側部に立設された図示しない一対のフロントピラー（左右の骨格部材）に固定されている。
【００３３】
図２（Ｂ）に示されるように、インパネ１４は、車両後方側から見て車両幅方向に延在する第一部位１４Ｘとその第一部位１４Ｘの車両幅方向中央部から垂下された第二部位１４Ｙとで車室側に突出した面がＴ字状に形成されている。インパネ１４は、その上面を構成する上壁部３０と、第二部位１４Ｙの側面を構成する側壁部３２と、下端部を構成する底壁部３４と、を含んで構成されている。
【００３４】
インパネ１４の車両幅方向両サイドは、図１に示される車両幅方向外側から見た側断面視で車両前方側が開放された略Ｖ字状の膨出形状部１４Ｓとされている。膨出形状部１４Ｓの膨出先端部の高さ位置は、フロントシート２２に着座する前席乗員Ｐの膝部Ｎよりも車両上方側に設定されている。本実施形態におけるインパネ１４は、膨出形状部１４Ｓの上下方向の寸法が小さい薄型構造とされており、前席乗員Ｐの足元のスペースを広く確保することができる構造になっている。
【００３５】
インパネ１４における内側（車両前方側）には、車両用空調装置４０の本体部としての空調ユニット４２が設けられている。空調ユニット４２は、ＨＶＡＣ（ｈｅａｔｉｎｇ  ａｎｄ  ｖｅｎｔｉｌａｔｉｎｇ  ａｉｒ  ｃｏｎｄｉｔｉｏｎｉｎｇ）のユニットであり、車室１２内に温度調節された空気を供給するためのユニットである。なお、空調ユニット４２の基本構成は、例えば、前述した特許文献１（特開２０１０−１４３３７４号公報）等で公知であるため、詳細説明を省略する。空調ユニット４２のケースは、ダッシュパネル１８に対して車室内側に配置されてかつダッシュパネル１８に図示しない締結具（ボルト及びナット）等により取り付けられている。
【００３６】
また、車両用空調装置４０は、インパネ１４に設けられて空調風を前席乗員Ｐの足元側に向けて吹き出すフット吹出口４６、４８を備えると共に、インパネ１４に設けられて空調風の生成用として車室１２内の空気を取り込む内気吸入口４４を備える。なお、図中では、空調風が流れる方向を二点鎖線の矢印で示している（図２においても同様）。
【００３７】
内気吸入口４４は、インパネ１４の下端部を構成する底壁部３４に設けられており、ダクトＤ１（図２（Ａ）参照）を介して、空調ユニット４２の内気導入口４２Ａに接続されている。なお、図１では、図を見易くするために、ダクトＤ１（図２（Ａ）参照）の図示を省略している。内気吸入口４４は、空調ユニット４２の略側方側で前席乗員Ｐの右足（左右の足のうちより車両幅方向内側に位置する足）の足元近傍に設定されている。また、内気導入口４２Ａは、空調ユニット４２の側部に形成されている。また、フット吹出口４６、４８は、インパネ１４の第二部位１４Ｙにおける側壁部３２の下部に形成されており、前席乗員Ｐの膝部Ｎよりも低い位置に設定されている。フット吹出口４６、４８は、図２（Ｂ）の方向視では殆ど見えないが、模式的な背面図である図２（Ｂ）では便宜上フット吹出口４６、４８を第二部位１４Ｙの図中左側に誇張して図示している。また、図２（Ａ）に示されるように、フット吹出口４６、４８は、フット吹出口４６、４８からの空調風の吹出方向が車両幅方向外側斜め後方側かつ斜め下方側（図１参照）に向くように設定されている。フット吹出口４６、４８は、ダクトＤ２、Ｄ３を介して、空調ユニット４２の空気出口４２Ｂ、４２Ｃに接続されている。なお、空気出口４２Ｂと空気出口４２Ｃとは、一例として平面視で重なる位置に設定されているが、そのような位置関係になくてもよい。
【００３８】
本実施形態では、図１に示されるフット吹出口４６、４８として、前席乗員Ｐの左右の足のうちより車両幅方向内側に位置する足の足元側に向けて空調風を吹き出す第一フット吹出口４６を備えると共に、前席乗員Ｐの左右の足のうちより車両幅方向外側に位置する足の足元側に向けて空調風を吹き出す第二フット吹出口４８を備えている。第二フット吹出口４８は第一フット吹出口４６よりも大きく設定されている。また、第二フット吹出口４８から吹き出す空調風の風量は、第一フット吹出口４６から吹き出す空調風の風量よりも多くなるように設定されている。なお、以下の説明において、第一フット吹出口４６及び第二フット吹出口４８をまとめて説明するときには、単に「フット吹出口４６、４８」という。
【００３９】
図２（Ａ）の部分拡大図に模式的に示されるように、車両用空調装置４０は、フット吹出口４６、４８から吹き出す空調風の風向を調整する風向調整部５０、５２を備えている。風向調整部５０、５２は、一例として、筒状とされると共に、車両上下方向の軸Ｘ１、Ｘ２の周りを回動することで、風向を調整可能とされている。風向調整部５０、５２は、調整制御部５６（図中ではブロック化して図示）に接続されている。
【００４０】
図１に示されるように、車室前部１２Ｆのダッシュパネル１８の下部には、前席乗員Ｐの下肢Ｌｏの位置（本実施形態では前席乗員Ｐの右足の位置と左足の位置のそれぞれ）を検出する下肢検出部５４が配置されている。下肢検出部５４は、一例として、前席乗員Ｐの下肢Ｌｏ及びその周辺の映像を撮影するカメラと、前記カメラで撮影した前席乗員Ｐの下肢Ｌｏ及びその周辺の映像を画像処理することで前席乗員Ｐの下肢Ｌｏの位置を算出して算出結果のデータを出力する画像センサと、を含んで構成されている。なお、下肢検出部５４は、上記構成に代えて赤外線センサを含んで構成されてもよい。また、下肢検出部５４は空調ユニット４２と一体的に設けられてもよい。図２（Ａ）に示されるように、下肢検出部５４は、調整制御部５６に接続されている。調整制御部５６は、下肢検出部５４の検出結果に基づいて第一フット吹出口４６から吹き出す空調風の風向が前席乗員Ｐの下肢Ｌｏ（いずれも図１参照）のうち右足（左右の足のうちより車両幅方向内側に位置する足）の足元側に向けられるように第一の風向調整部５０を制御する。また、調整制御部５６は、下肢検出部５４の検出結果に基づいて第二フット吹出口４８から吹き出す空調風の風向が前席乗員Ｐの下肢Ｌｏ（いずれも図１参照）のうち左足（左右の足のうちより車両幅方向外側に位置する足）の足元側に向けられるように第二の風向調整部５２を制御する。
【００４１】
また、図１に示されるように、フロントシート２２のシートクッション２４の下端部とフロアパネル２０との間には、シートクッション２４の下方側及びその前後を含む下側空間ＬＳを車両前後方向に仕切るように仕切り部材としての仕切り板５８が配置されている。仕切り板５８は、その上端部に設けられて車両幅方向に延在する軸５８Ｘが、シートクッション２４の側に回動可能に軸支されており、フロントシート２２のシートクッション２４の下端部とフロアパネル２０との間に開閉可能に設けられている。なお、図１では、仕切り板５８が開いた状態の位置を二点鎖線で示す。車両用空調装置４０は、仕切り板５８を開閉させる可動機構６０（図中ではブロック化して図示）を有している。可動機構６０は、駆動モータと、駆動モータで発生させた駆動力を伝達して軸５８Ｘを回転させるための駆動力伝達機構と、を有する。この可動機構６０により仕切り板５８は開度（言い換えれば垂下姿勢を基準姿勢とした場合の回動角度）を変えることができる。
【００４２】
一方、車室前部１２Ｆのダッシュパネル１８の下部には前席乗員Ｐの足元付近の温度を検出する温度検出部６２が配置されている。温度検出部６２は温度センサで構成されている。また、フロントシート２２よりも車両後方側には後席乗員を検出する後席乗員検出部６４（図中ではブロック化して図示）が配置されている。後席乗員検出部６４は、一例として、後席シートに設けられて乗員が後席シートのシートクッションに着座するとシート座面に作用する荷重によって電気接点が接触する電気接点式の着座センサを含んで構成されている。後席乗員検出部６４は、上記構成に代えて、後席の映像を撮影するカメラと、前記カメラで撮影した後席の映像を画像処理することで後席乗員の有無を算出して算出結果のデータを出力する画像センサを含んで構成されてもよいし、赤外線センサを含んで構成されてもよい。
【００４３】
温度検出部６２及び後席乗員検出部６４は、開閉制御部６６（図中ではブロック化して図示）に接続されている。開閉制御部６６は、温度検出部６２によって測定された温度が予め設定した基準温度に達したものと判定した場合でかつ後席乗員検出部６４が後席乗員を検出した場合に仕切り板５８が開いた状態になるように可動機構６０を制御すると共にそれ以外の場合に仕切り板５８が閉じた状態になるように可動機構６０を制御する。
【００４４】
（実施形態の作用・効果）
次に、上記実施形態の作用及び効果について説明する。
【００４５】
図２（Ｂ）に示されるように、車室前部１２Ｆに設けられたインパネ１４が車両後方側から見て車両幅方向に延在する第一部位１４Ｘとその第一部位１４Ｘの車両幅方向中央部から垂下された第二部位１４Ｙとで車室側に突出した面がＴ字状に形成され、図１に示される前席乗員Ｐの足元スペースが確保されている。このインパネ１４における内側に車両用空調装置４０の空調ユニット４２が設けられている。車両用空調装置４０においては、インパネ１４に設けられたフット吹出口４６、４８が空調風を前席乗員Ｐの足元側に向けて吹き出し、インパネ１４に設けられた内気吸入口４４が空調風の生成用として車室１２内の空気を取り込む。
【００４６】
ここで、フット吹出口４６、４８がインパネ１４の第二部位１４Ｙにおける側壁部３２の下部に形成されている。このため、前席乗員Ｐの足元スペースが確保されつつ、フット吹出口４６、４８から前席乗員Ｐの足元までの距離を短くすることができるので、前席乗員Ｐの体感温度を容易に調節することができる。
【００４７】
対比構造と対比しながら補足説明すると、例えば、インパネに設けられたフット吹出口が前席乗員の前方側に設けられた対比構造では、インパネを車両上下方向において薄型化した場合、フット吹出口から前席乗員の足元までの距離が長くなってしまう。そのため、このような対比構造では、空調風（フット吹出口からの気流）の拡散に起因して空調のロスが大きくなり、ウォームアップ時には足元の温度が目標温度に達するのに時間がかかる。また、前記対比構造では、インパネを車両上下方向において薄型化しない場合に比べて前席乗員の足元付近での空調風の風速が下がる。以上により、前記対比構造を用いて例えば冬季に暖房運転をした場合には、ウォームアップ時における前席乗員の足元の温熱感が低下することが予想される。これに対して、本実施形態では、フット吹出口４６、４８から前席乗員Ｐの足元までの距離を短くすることができるので、前記対比構造のような課題を解決することができる。
【００４８】
また、本実施形態では、内気吸入口４４は、インパネ１４の下端部に設けられている。このため、前席乗員Ｐの足元付近の空気、つまり空調風により温度が目標温度に近づいている空気を内気吸入口４４から取り込んで空調風に利用することができるので、冷暖房効率が向上する。
【００４９】
また、本実施形態では、車両用空調装置４０は、図２に示されるフット吹出口４６、４８として、第一フット吹出口４６と第二フット吹出口４８とを備えている。第一フット吹出口４６は、前席乗員Ｐ（図１参照）の左右の足のうちより車両幅方向内側に位置する足の足元側に向けて空調風を吹き出す。また、第二フット吹出口４８は、前席乗員Ｐ（図１参照）の左右の足のうちより車両幅方向外側に位置する足の足元側に向けて空調風を吹き出す。このため、前席乗員Ｐの左右の足のそれぞれに良好に空調風を送ることができる。
【００５０】
また、本実施形態では、より遠い方の足の足元側に向けて空調風を吹き出す第二フット吹出口４８が、より近い方の足の足元側に向けて空調風を吹き出す第一フット吹出口４６よりも大きく設定されている（図１参照）。したがって、より遠い方の足の足元側に送る空調風の風量を容易に多くすることができる。
【００５１】
また、本実施形態では、より遠い方の足の足元側に向けて第二フット吹出口４８から吹き出す空調風の風量が、より近い方の足の足元側に向けて第一フット吹出口４６から吹き出す空調風の風量よりも多くなるように設定されている。したがって、左右の足の足元付近の各体感温度を近付けることができる。
【００５２】
また、本実施形態では、図１に示される車室前部１２Ｆに配置された下肢検出部５４が前席乗員Ｐの下肢Ｌｏの位置を検出する。また、図２（Ａ）に示される風向調整部５０、５２がフット吹出口４６、４８から吹き出す空調風の風向を調整する。そして、下肢検出部５４の検出結果に基づいてフット吹出口４６、４８から吹き出す空調風の風向が前席乗員Ｐの下肢Ｌｏ（いずれも図１参照）側に向けられるように調整制御部５６が風向調整部５０、５２を制御する。したがって、図１に示されるシートクッション２４が移動されたり前席乗員Ｐの体勢が変わったりしても前席乗員Ｐの下肢Ｌｏの位置に応じて空調風の風向を変えることができるので、前席乗員Ｐの足元の体感温度を容易に調節することができる。
【００５３】
また、本実施形態では、フロントシート２２のシートクッション２４の下端部とフロアパネル２０との間に設けられてシートクッション２４の下方側及びその前後を含む下側空間ＬＳを車両前後方向に仕切るように配置された仕切り板５８を有する。よって、フット吹出口４６、４８から吹き出された空調風が、仕切り板５８によって後席側に流れなくなって（又は殆ど流れなくなって）空調風（例えば暖房運転時には温風）の空気が前席乗員Ｐの足元付近に貯められる。これにより、前席乗員Ｐの下肢Ｌｏを空調風で包み込むことができ、前席乗員Ｐの足元の温度を容易に目標温度に近付けることができる。
【００５４】
また、本実施形態では、仕切り板５８は、フロントシート２２のシートクッション２４の下端部とフロアパネル２０との間に開閉可能に設けられており、可動機構６０によって開閉させられる。したがって、仕切り板５８が開かれることで、フット吹出口４６、４８から吹き出された空調風を後席側に送ることができる。
【００５５】
また、本実施形態では、車室前部１２Ｆに配置された温度検出部６２が前席乗員Ｐの足元付近の温度を検出し、フロントシート２２よりも車両後方側に配置された後席乗員検出部６４が後席乗員を検出する。開閉制御部６６は、温度検出部６２によって測定された温度が予め設定した基準温度に達したものと判定した場合でかつ後席乗員検出部６４が後席乗員を検出した場合に仕切り板５８が開いた状態になるように可動機構６０を制御すると共にそれ以外の場合に仕切り板５８が閉じた状態になるように可動機構６０を制御する。したがって、前席乗員Ｐの足元付近を効率的に温度調節した後には、フット吹出口４６、４８から吹き出された空調風を後席側に送ることができるので、後席側においても空調効果が得られる。
【００５６】
以上説明したように、本実施形態の車両用空調装置４０によれば、インパネ１４を車両上下方向において薄型化しても前席乗員Ｐの足元の体感温度を容易に調節することができる。
【００５７】
（実施形態の補足説明）
なお、上記実施形態では、内気吸入口４４がインパネ１４の下端部である底壁部３４に設けられており、このような構成が好ましいが、内気吸入口が例えばインパネ（１４）の上壁部３０等のようにインパネ（１４）における下端部以外の部位に形成される構成も採り得る。
【００５８】
また、上記実施形態では、フット吹出口４６、４８として、第一フット吹出口４６と第二フット吹出口４８とが設けられており、このような構成が好ましいが、例えばフット吹出口が一個又は三個以上形成されるような構成も採り得る。
【００５９】
また、上記実施形態では、第二フット吹出口４８が第一フット吹出口４６よりも大きく設定されており、このような構成が好ましいが、例えば第一フット吹出口と第二フット吹出口とが同じ大きさに設定されているような構成も採り得る。
【００６０】
また、上記実施形態では、第二フット吹出口４８から吹き出す空調風の風量が第一フット吹出口４６から吹き出す空調風の風量よりも多くなるように設定されており、このような構成が好ましいが、例えば第一フット吹出口から吹き出す空調風の風量と第二フット吹出口から吹き出す空調風の風量とが同じになるように設定された構成も採り得る。
【００６１】
また、暖房運転時に第二フット吹出口（４８）から吹き出す空調風の温度を第一フット吹出口（４６）から吹き出す空調風の温度よりも高くなるように設定してもよい。また、冷房運転時に第二フット吹出口（４８）から吹き出す空調風の温度を第一フット吹出口（４６）から吹き出す空調風の温度よりも低くなるように設定してもよい。
【００６２】
また、上記実施形態では、図２（Ａ）に示される下肢検出部５４、風向調整部５０、５２及び調整制御部５６が設けられており、このような構成が好ましいが、これらを設けない構成も採り得る。
【００６３】
また、上記実施形態では、仕切り部材として図１に示される仕切り板５８が設けられているが、仕切り部材は、例えば、フロントシート（２２）のシートクッション（２４）の下端部に取り付けられてシートクッション（２４）の下端部とフロアパネル（２０）との間に設けられてシートクッション（２４）の下方側及びその前後を含む下側空間ＬＳを車両前後方向に仕切るように配置された仕切りカーテンやシャッター等のような仕切り板５８以外の仕切り部材とされてもよい。また、前記の仕切りカーテンは巻き取り可能とされてもよい。
【００６４】
また、上記実施形態のように、仕切り部材としての仕切り板５８が設けられた構成が好ましいが、仕切り板５８が設けられない構成も採り得る。また、上記実施形態では、仕切り部材としての仕切り板５８を開閉させる可動機構６０が設けられているが、このような可動機構６０が設けられない構成も採り得る。
【００６５】
また、上記実施形態では、温度検出部６２、後席乗員検出部６４及び開閉制御部６６が設けられており、このような構成が好ましいが、これらを設けない構成も採り得る。
【００６６】
また、上記実施形態では、助出席側の空調を行う構成について説明したが、運転席側の空調についても同様に適用することができる。
【００６７】
なお、上記実施形態及び上述の複数の変形例は、適宜組み合わされて実施可能である。
【００６８】
以上、本発明の一例について説明したが、本発明は、上記に限定されるものでなく、上記以外にも、その主旨を逸脱しない範囲内において種々変形して実施可能であることは勿論である。
【符号の説明】
【００６９】
１２    車室
１２Ｆ  車室前部
１４    インストルメントパネル
１４Ｘ  第一部位
１４Ｙ  第二部位
２０    フロアパネル
２２    フロントシート（前席）
２４    シートクッション
３２    側壁部
４０    車両用空調装置
４２    空調ユニット（本体部）
４４    内気吸入口
４６    第一フット吹出口（フット吹出口）
４８    第二フット吹出口（フット吹出口）
５０    風向調整部
５２    風向調整部
５４    下肢検出部
５６    調整制御部
５８    仕切り板（仕切り部材）
６０    可動機構
６２    温度検出部
６４    後席乗員検出部
６６    開閉制御部
Ｐ      前席乗員
Ｌｏ    前席乗員の下肢
ＬＳ    下側空間
【図１】
2019089444.tif 000003
【図２】
2019089444.tif 000004